(57)【要約】【課題】  記録媒体に現像剤を定着させる温度を低下させることが可能な現像剤の定着方法及び現像剤の定着装置等を提供する。【解決手段】  未定着の現像剤を記録媒体へ定着させる現像剤の定着方法は、１００℃以下の温度における、未定着の現像剤を軟化させる軟化剤を含む定着剤を、未定着の現像剤を加熱する加熱手段に供給するステップ、該加熱手段に供給された該定着剤を未定着の現像剤に供給するステップ、及び該加熱手段によって、該定着剤が供給された未定着の現像剤を加熱するステップを含む。未定着の現像剤を記録媒体へ定着させる現像剤の定着装置は、未定着の現像剤を加熱する加熱手段、及び１００℃以下の温度における、未定着の現像剤を軟化させる軟化剤を含む定着剤を、該加熱手段に供給する供給手段を含む。【選択図】  図１
2007017784.tif 000002
【特許請求の範囲】
【請求項１】
未定着の現像剤を記録媒体へ定着させる現像剤の定着方法において、
１００℃以下の温度における、未定着の現像剤を軟化させる軟化剤を含む定着剤を、未定着の現像剤を加熱する加熱手段に供給するステップ、
該加熱手段に供給された該定着剤を未定着の現像剤に供給するステップ、及び
該加熱手段によって、該定着剤が供給された未定着の現像剤を加熱するステップ
を含むことを特徴とする現像剤の定着方法。
【請求項２】
前記定着剤を前記加熱手段に供給するステップは、前記加熱手段に接触し得る接触手段を介して、前記加熱手段に前記定着剤を供給することを含むことを特徴とする請求項１に記載の現像剤の定着方法。
【請求項３】
前記未定着の現像剤を前記記録媒体へ定着させるときにのみ、前記接触手段を前記加熱手段に接触させることを特徴とする請求項２に記載の現像剤の定着方法。
【請求項４】
前記定着剤を前記加熱手段に供給するステップは、前記加熱手段に前記定着液を直接供給することを特徴とする請求項１に記載の現像剤の定着方法。
【請求項５】
前記定着液は、前記加熱手段に吹き付けられることを特徴とする請求項４に記載の現像剤の定着方法。
【請求項６】
未定着の現像剤を記録媒体へ定着させる現像剤の定着方法において、
未定着の現像剤を軟化させる軟化剤を含む定着剤を、未定着の現像剤に直接供給するステップ、及び
該定着剤が供給された未定着の現像剤を加熱するステップ
を含むことを特徴とする現像剤の定着方法。
【請求項７】
前記定着剤を前記未定着の現像剤に直接供給するステップは、前記未定着の現像剤に前記定着剤を吹き付けることを含むことを特徴とする請求項６に記載の現像剤の定着方法。
【請求項８】
前記定着剤は、液体であることを特徴とする請求項１乃至７のいずれか一項に記載の現像剤の定着方法。
【請求項９】
前記定着剤は、離型剤をさらに含むことを特徴とする請求項１乃至８のいずれか一項に記載の現像剤の定着方法。
【請求項１０】
前記未定着の現像剤を加熱するステップは、前記定着剤が供給された未定着の現像剤に圧力を加えることを含むことを特徴とする請求項１乃至９のいずれか一項に記載の現像剤の定着方法。
【請求項１１】
未定着の現像剤を記録媒体へ定着させる現像剤の定着装置において、
未定着の現像剤を加熱する加熱手段、及び
１００℃以下の温度における、未定着の現像剤を軟化させる軟化剤を含む定着剤を、該加熱手段に供給する供給手段を含むことを特徴とする現像剤の定着装置。
【請求項１２】
前記供給手段は、前記定着剤を該加熱手段に供給すると共に前記加熱手段に接触し得る接触手段をさらに含むことを特徴とする請求項１１に記載の現像剤の定着装置。
【請求項１３】
前記加熱手段に対する前記接触手段の接触を制御する制御手段をさらに含むことを特徴とする請求項１２に記載の現像剤の定着装置。
【請求項１４】
前記供給手段は、前記加熱手段に前記定着剤を直接供給する手段であることを特徴とする請求項１１に記載の現像剤の定着装置。
【請求項１５】
前記供給手段は、前記加熱手段に前記定着剤を吹き付ける手段であることを特徴とする請求項１４に記載の現像剤の定着装置。
【請求項１６】
未定着の現像剤を記録媒体へ定着させる現像剤の定着装置において、
未定着の現像剤を軟化させる軟化剤を含む定着剤を、未定着の現像剤に直接供給する供給手段、及び
前記定着剤が供給された前記未定着の現像剤を加熱する加熱手段を含むことを特徴とする現像剤の定着装置。
【請求項１７】
前記供給手段は、前記未定着の現像剤に前記定着剤を吹き付ける手段であることを特徴とする請求項１６に記載の現像剤の定着装置。
【請求項１８】
未定着の現像剤に圧力を加える加圧手段をさらに含むことを特徴とする請求項１１乃至１７のいずれか一項に記載の現像剤の定着装置。
【請求項１９】
前記加熱手段は、加熱ローラであることを特徴とする請求項１１乃至１８のいずれか一項に記載の現像剤の定着装置。
【請求項２０】
前記加熱手段は、加熱ベルトであることを特徴とする請求項１１乃至１８のいずれか一項に記載の現像剤の定着装置。
【請求項２１】
請求項１乃至１０のいずれか一項に記載の現像剤の定着方法を用いて画像を形成することを特徴とする画像形成方法。
【請求項２２】
請求項１１乃至２０のいずれか一項に記載の現像剤の定着装置を含むことを特徴とする画像形成装置。
【発明の詳細な説明】
【技術分野】
【０００１】
本発明は、現像剤の定着方法、現像剤の定着装置、画像形成方法、及び画像形成装置に関する。
【背景技術】
【０００２】
プリンター、ファクシミリ、及び複写装置のような画像形成装置は、紙、布、及びＯＨＰ用シートのような記録媒体に、画像情報に基づいて文字や記号を含む画像を形成する装置である。特に、電子写真方式の画像形成装置は、普通紙に高精細な画像を高速で形成することができるため、広くオフィスで使用されている。このような電子写真方式の画像形成装置においては、記録媒体上のトナーを加熱して溶融させ、溶融したトナーを加圧することによって、トナーを記録媒体上に定着させる熱定着方式が、広く用いられている。この熱定着方式は、高い定着速度及び高い定着画像品質等を提供することができるため、好適に用いられている。
【０００３】
しかしながら、このような電子写真方式の画像形成装置における消費電力の約半分以上は、熱定着方式においてトナーを加熱することに消費されている。一方、近年における環境問題対策の観点からは、低消費電力（省エネルギー）の定着装置が、望まれている。即ち、トナーを定着するためにトナーを加熱する温度を今までよりも低下させることが、望まれている。
【０００４】
電子写真方式の画像形成装置における熱定着方式を採用する定着装置としては、例えば、特許文献１に、複写機の一方の面に形成されたトナー画像に接触し、該トナー画像を定着する加熱ローラと、該複写機の他方の面側より該複写機を加圧して該加熱ローラに押し付ける加圧ローラと、シリコン・オイルを保持するとともに、該加熱ローラの回転面に接触して該回転面の汚れを払拭捕集するクリーニング部材とからなる電子写真複写機におけるローラ型定着装置において、該クリーニング部材は該加熱ローラの回転面より払拭捕集したトナーを軟化させるトナー軟化剤を含有するシリコン・オイルを保持したことを特徴とする電子写真複写機におけるローラ型加熱定着装置が開示されている。
【０００５】
しかしながら、特許文献１に開示されるローラ型加熱定着装置においては、トナー軟化剤を含有するシリコン・オイルが、加熱ローラの回転面の汚れを払拭捕集するクリーニング部材に保持されているため、トナー軟化剤を含有するシリコン・オイルは、クリーニング部材によって加熱ローラの回転面より払拭捕集されたトナーを軟化させるものであり、トナーを定着するためのトナーを加熱する温度を低下させることを意図したものではない。また、クリーニング部材が、加熱ローラの回転面に常時接触しているため、加熱ローラとの継続的な接触によってクリーニング部材の温度が上昇し、クリーニング部材に保持されているトナー軟化剤を含有するシリコン・オイルの温度も上昇する。このため、実際には、クリーニング部材に保持されているシリコン・オイルから、トナー軟化材の多くが、蒸発してしまい、加熱ローラの回転面より払拭捕集されたトナーを軟化させる効率は、低いと考えられる。また、シリコン・オイルから蒸発したトナー軟化剤によって、定着装置内を汚染する可能性もある。
【０００６】
また、特許文献２には、互いに転接する定着用回転部材間に画像支持体を通すことにより、その表面に形成された未定着現像剤像を定着するようにした定着装置であって、離型性層をその表面に有するとともに少なくとも一方が弾力性を持ち、加圧状態で転接することによりニップ部を形成する一組の定着用回転部材と、これら一組の定着用回転部材間を通過する画像支持体上の現像剤を溶融もしくは軟化させる現像剤溶融手段とを具備してなることを特徴とする定着装置が開示されている。特許文献２に開示される定着装置は、原則として、熱を全く使用しないものであるが、熱を併用してもよく、その熱源を上側定着ローラ内部に設けてもよいことが、特許文献２に記載されている。
【０００７】
しかしながら、特許文献２に開示される定着装置において、熱は、定着液を蒸気化させるために使用されており、現像剤を定着するために使用されていない。また、上側定着ローラ内部に設けられる熱源は、ヒートローラ方式より格段に低出力であるため、特許文献２に開示される定着装置は、熱を使用したとしても、熱定着方式を採用する定着装置ではない。
【特許文献１】特開昭６３−８２４９５号公報
【特許文献２】特開昭６１−６９０８６号公報
【発明の開示】
【発明が解決しようとする課題】
【０００８】
本発明は、記録媒体に現像剤を定着させる温度を低下させることが可能な現像剤の定着方法、現像剤の定着装置、画像形成方法、及び画像形成装置を提供することを目的とする。
【課題を解決するための手段】
【０００９】
本発明の第一の態様は、未定着の現像剤を記録媒体へ定着させる現像剤の定着方法において、１００℃以下の温度における、未定着の現像剤を軟化させる軟化剤を含む定着剤を、未定着の現像剤を加熱する加熱手段に供給するステップ、該加熱手段に供給された該定着剤を未定着の現像剤に供給するステップ、及び該加熱手段によって、該定着剤が供給された未定着の現像剤を加熱するステップを含むことを特徴とする現像剤の定着方法である。
【００１０】
本発明の第二の態様は、未定着の現像剤を記録媒体へ定着させる現像剤の定着方法において、未定着の現像剤を軟化させる軟化剤を含む定着剤を、未定着の現像剤に直接供給するステップ、及び該定着剤が供給された未定着の現像剤を加熱するステップを含むことを特徴とする現像剤の定着方法である。
【００１１】
本発明の第三の態様は、未定着の現像剤を記録媒体へ定着させる現像剤の定着装置において、未定着の現像剤を加熱する加熱手段、及び１００℃以下の温度における、未定着の現像剤を軟化させる軟化剤を含む定着剤を、該加熱手段に供給する供給手段を含むことを特徴とする現像剤の定着装置である。
【００１２】
本発明の第四の態様は、未定着の現像剤を記録媒体へ定着させる現像剤の定着装置において、未定着の現像剤を軟化させる軟化剤を含む定着剤を、未定着の現像剤に直接供給する供給手段、及び前記定着剤が供給された前記未定着の現像剤を加熱する加熱手段を含むことを特徴とする現像剤の定着装置である。
【００１３】
本発明の第五の態様は、本発明の第一の態様又は本発明の第二の態様である現像剤の定着方法を用いて画像を形成することを特徴とする画像形成方法である。
【００１４】
本発明の第六の態様は、本発明の第三の態様又は本発明の第四の態様である現像剤の定着装置を含むことを特徴とする画像形成装置である。
【発明の効果】
【００１５】
本発明によれば、記録媒体に現像剤を定着させる温度を低下させることが可能な現像剤の定着方法、現像剤の定着装置、画像形成方法、及び画像形成装置を提供することができる。
【発明を実施するための最良の形態】
【００１６】
次に、本発明の実施の形態を図面と共に説明する。
【００１７】
本発明の第一の実施形態は、未定着の現像剤を記録媒体へ定着させる現像剤の定着方法において、１００℃以下の温度における、未定着の現像剤を軟化させる軟化剤を含む定着剤を、未定着の現像剤を加熱する加熱手段に供給するステップ、加熱手段に供給された定着剤を未定着の現像剤に供給するステップ、及び加熱手段によって、定着剤が供給された未定着の現像剤を加熱するステップを含むことを特徴とする現像剤の定着方法である。
【００１８】
本発明の第二の実施形態は、未定着の現像剤を記録媒体へ定着させる現像剤の定着装置において、未定着の現像剤を加熱する加熱手段、及び１００℃以下の温度における、未定着の現像剤を軟化させる軟化剤を含む定着剤を、加熱手段に供給する供給手段を含むことを特徴とする現像剤の定着装置である。
【００１９】
本発明の第三の実施形態は、未定着の現像剤を記録媒体へ定着させる現像剤の定着方法において、未定着の現像剤を軟化させる軟化剤を含む定着剤を、未定着の現像剤に直接供給するステップ、及び定着剤が供給された未定着の現像剤を加熱するステップを含むことを特徴とする現像剤の定着方法である。
【００２０】
本発明の第四の実施形態は、未定着の現像剤を記録媒体へ定着させる現像剤の定着装置において、未定着の現像剤を加熱する加熱手段、及び１００℃以下の温度における、未定着の現像剤を軟化させる軟化剤を含む定着剤を、加熱手段に供給する供給手段を含むことを特徴とする現像剤の定着装置である。
【００２１】
ここで、現像剤は、可視の画像を提供するための材料であり、例えば、電子写真方式においては、像担持体に形成された静電潜像を可視化するためのトナーを含む材料である。現像剤は、例えば、トナーを含む一成分現像剤であってもよく、トナー及びトナーを担持するキャリアを含む二成分現像剤であってもよい。トナーは、通常、結着樹脂及び着色剤を含み、結着樹脂及び着色剤の他には、必要に応じて、電荷制御剤、流動性付与剤、離型剤、外添剤などを含んでもよい。トナーの結着樹脂のような、現像剤に含まれる樹脂は、スチレン−アクリル共重合体、ポリエステル系、エポキシ系、ポリオール系の樹脂のいずれでも良い。トナーに含まれる離型剤としては、ポリエチレン等のワックス成分が挙げられ、トナーに含まれる離型剤の含有量は、記録媒体に対するトナーの定着性に問題が生じない程度の量であればよい。
【００２２】
記録媒体は、特に限定されず、例えば、紙、布、及び液体透過層を有するＯＨＰ用シートのようなプラスチックフィルムなどが挙げられる。
【００２３】
また、未定着とは、現像剤が記録媒体に固定されてない状態を指し、例えば、現像剤が記録媒体に静電気力によって付着している状態であり、定着させることは、現像剤を記録媒体に固定することを指す。
【００２４】
定着剤は、記録媒体における未定着の現像剤に直接的又は間接的に（例えば、加熱手段を介して）供給される、未定着の現像剤を記録媒体へ定着させる材料であり、特に限定されない。定着剤の状態は、特に限定されないが、気体（定着剤の蒸気）、液体又は半固体であってもよい。定着剤は、軟化剤を含む。また、定着剤は、軟化剤のみからなっていてもよい。また、定着剤は、軟化剤を溶解させる溶媒又は軟化剤を分散させる分散媒を含んでもよい。すなわち、軟化剤は、定着剤に含まれる溶媒に溶解していてもよく、定着剤に含まれる分散媒に分散していてもよい。しかしながら、定着剤における軟化剤を安定して保存するために、軟化剤は、定着剤に含まれる分散媒に（例えば、コロイド状に）分散しているよりも、定着剤に含まれる溶媒に溶解していることが好ましい。また、軟化剤が、定着剤に含まれる溶媒に溶解している場合には、軟化剤が、未定着の現像剤に容易に接触し、軟化剤が未定着の現像剤を軟化させる速度を向上させることができる。その結果、未定着の現像剤を記録媒体に定着させる速度を向上させることができる。
【００２５】
定着剤は、さらに、離型剤を含んでもよい。定着剤に含まれ得る離型剤は、例えば、記録媒体に提供された未定着の現像剤を加熱手段によって加熱する際に、現像剤が記録媒体から加熱手段又は後述する加圧手段へ付着すること（加熱手段又は加圧手段に対する現像剤のオフセット）を低減するための離型剤である。なお、定着剤とは別個に離型剤を加熱手段又は加圧手段に提供してもよい。
【００２６】
軟化剤は、未定着の現像剤を軟化させる性質を有する材料であり、定着剤に含まれる。軟化剤は、例えば、現像剤（に含まれる樹脂）の少なくとも一部を溶解又は膨潤させる成分であってもよく、この場合には、軟化剤の軟化させる性質は、現像剤（に含まれる樹脂）の少なくとも一部を溶解又は膨潤させる性質を意味する。ここで、軟化剤は、現像剤（に含まれる樹脂）の少なくとも一部を溶解又は膨潤させる成分であればよく、現像剤（に含まれる樹脂）の全てを溶解又は膨潤させることは必ずしも必要ではない。軟化剤が、現像剤（に含まれる樹脂）の全てを溶解又は膨潤させる必要がないので、現像剤を溶解させることによって現像剤を記録媒体に室温で定着させる従来の溶剤定着法と比較して、より速く未定着の現像剤を記録媒体に定着させることができる。すなわち、従来の溶剤定着法よりも速く、従来の熱定着方式よりも低い温度で、未定着の現像剤を記録媒体に定着させることができる。軟化剤は、好ましくは、室温で未定着の現像剤を軟化させる性質を有する材料であるが、未定着の現像剤の温度を室温よりも高い温度まで上昇させたときに未定着の現像剤を軟化させることができる材料であってもよい。なお、室温とは、１５℃以上３０℃以下の範囲における温度を意味する。軟化剤は、軟化剤が供給されてない現像剤（に含まれる樹脂）の（概略６０℃以上８０℃以下である）軟化温度以下では、不揮発性であることが好ましい。この場合には、定着剤を、軟化剤が供給されてない現像剤（に含まれる樹脂）の軟化温度以下の温度で保存することによって、定着剤の品質を、結果として定着の性能を、長期の使用にわたって安定させることが可能となる。
【００２７】
供給手段は、本発明の第一及び第二の実施形態においては、１００℃以下の温度における、未定着の現像剤を軟化させる軟化剤を含む定着剤を、加熱手段に供給することができる手段であれば、特に限定されない。ここで、供給手段は、１００℃以下の温度における、軟化剤を含む定着剤を、加熱手段に直接的に供給する手段であってもよく、１００℃以下の温度における、軟化剤を含む定着剤を、他の媒体を介して、加熱手段に間接的に供給する手段であってもよい。すなわち、軟化剤を含む定着剤を、加熱手段に直接的に供給してもよく、間接的に供給してもよい。加熱手段に対する軟化剤を含む定着剤の直接的な供給方法としては、例えば、軟化剤を含む定着剤を加熱手段に吹き付ける方法が挙げられる。加熱手段に対する軟化剤を含む定着剤の間接的な供給方法としては、例えば、軟化剤を含む定着剤を、加熱手段に接触し得る接触手段に供給した後、接触手段に供給された、軟化剤を含む定着剤を加熱手段に供給する方法が挙げられる。
【００２８】
また、供給手段は、本発明の第三及び第四の実施形態においては、未定着の現像剤を軟化させる軟化剤を含む定着剤を、未定着の現像剤に直接供給することができる手段であれば、特に限定されない。軟化剤を含む定着剤は、好ましくは、１００℃以下の温度で、未定着の現像剤に直接供給される。軟化剤を含む定着剤を、未定着の現像剤に直接供給する方法としては、例えば、軟化剤を含む定着剤を未定着の現像剤に吹き付ける方法が挙げられる。
【００２９】
本発明の第一、第二、第三、及び第四の実施形態において、供給手段は、定着剤を収容する容器から定着剤を、毛管力等によって、自然に供給する構成を有してもよく、定着剤を収容する容器から定着剤を、ポンプ等を使用することによって、強制的に供給する構成を有してもよい。
【００３０】
加熱手段は、未定着の現像剤を加熱することができる手段であれば、特に限定されないが、例えば、加熱ローラ及び加熱ベルトなどが挙げられる。加熱手段を用いて、未定着の現像剤を加熱することによって、軟化剤を含む定着剤が供給された未定着の現像剤を熱的に軟化又は変形させる。なお、本発明の第三及び第四の実施形態においては、加熱手段は、定着剤が供給された未定着の現像剤を加熱する。一方、本発明の第一及び第二の実施形態においては、加熱手段は、定着剤が供給された未定着の現像剤を加熱するのみならず、加熱手段に、軟化剤を含む定着剤が供給され、加熱手段に供給された定着剤が、加熱手段によって、未定着の現像剤に供給される。なお、加熱手段に、未定着の現像剤を軟化させる軟化剤を含む定着剤を供給するときには、供給手段と接触する加熱手段の表面の温度は、１００℃以下であることが好ましい。
【００３１】
また、加熱手段に加えて、定着剤が供給された未定着の現像剤に圧力を加える手段（加圧手段）をさらに用いてもよく、この場合には、定着剤が供給された未定着の現像剤を加熱すると共に加圧することができる。加圧手段としては、加圧ローラ及び加圧ベルトが挙げられる。
【００３２】
なお、通常、記録媒体に提供された未定着の現像剤に熱を効率良く伝導させるために、加熱手段は、記録媒体における未定着の現像剤が提供された面側に設けられる。一方、加圧手段は、加熱手段によって未定着の現像剤を加熱するのとほぼ又は完全に同時に未定着の現像剤を加圧するために、記録媒体における未定着の現像剤が提供されない面側に加熱手段と対向して設けられる。
【００３３】
本発明の第一、第二、第三、及び第四の実施形態においては、未定着の現像剤を軟化させる軟化剤を含む定着剤を、未定着の現像剤に直接的又は間接的に供給することによって、未定着の現像剤（に含まれ得る樹脂）の軟化温度を低下させることができる。よって、未定着の現像剤（に含まれ得る樹脂）の軟化に必要なエネルギーを低減することができる。より詳しくは、未定着の現像剤（に含まれ得る樹脂）の構造が、軟化剤の作用によって柔軟になり、未定着の現像剤（に含まれ得る樹脂）の軟化温度が低下する。ここで、未定着の現像剤（に含まれ得る樹脂）の軟化温度とは、未定着の現像剤が軟化剤によって軟化させられる前後の未定着の現像剤が軟化する温度であり、示差熱分析方法によって測定される未定着の現像剤（に含まれ得る樹脂）のガラス転移温度又は融点を表す。その結果、未定着の現像剤の軟化温度が低下しているため、未定着の現像剤を加熱する温度をその低下温度分ほど低下させても、未定着の現像剤を記録媒体へ定着させることが可能となる。すなわち、従来の熱定着方式よりも低い温度で未定着の現像剤を記録媒体へ定着させることが可能となる。
【００３４】
また、１００℃以下の温度における軟化剤を含む定着剤を、加熱手段又は未定着の現像剤に供給するので、定着剤からの軟化剤の蒸発を低減することができる。逆に、軟化剤を含む定着剤を、１００℃を超える温度で加熱手段又は未定着の現像剤へ供給すると、定着剤から軟化剤が急激に蒸発して、煙が生じることがある。このため、１００℃以下の温度における軟化剤を含む定着剤を、加熱手段又は未定着の現像剤に供給することによって、定着剤に含まれる軟化剤を、未定着の現像剤に、より効率的に作用させることができる。
【００３５】
そして、軟化剤を含む定着剤が供給された未定着の現像剤を加熱することによって、例えば、軟化剤を含む定着剤が供給された未定着の現像剤に、加熱手段を接触させることによって、軟化剤によって軟化させられた未定着の現像剤を、熱的に溶融させて、現像剤を融着させる。このようにして、現像剤を記録媒体へ定着させることができる。
【００３６】
本発明の第一及び第三の実施形態によれば、記録媒体に現像剤を定着させる温度を低下させることが可能な現像剤の定着方法を提供することができる。また、本発明の第二及び第四の実施形態によれば、記録媒体に現像剤を定着させる温度を低下させることが可能な現像剤の定着装置を提供することができる。よって、本発明の第一及び第三の実施形態である現像剤の定着方法又は本発明の第二及び第四の実施形態である現像剤の定着装置によれば、記録媒体に現像剤を定着させる温度を低下させることができるため、定着に必要なエネルギーを低減することが可能になる。
【００３７】
なお、未定着の現像剤が記録媒体に定着される温度、すなわち、加熱手段の温度（定着温度）は、定着剤に含まれる軟化剤の種類及び量などに依存する（定着温度は、軟化剤の量が多いほど、低下する）。しかしながら、例えば、本発明の第一、第二、第三、及び第四の実施形態によれば、加熱手段の温度は、従来の熱定着方式における定着温度（１６０℃〜１８０℃）に対して４０℃〜６０℃程度低い温度（１００℃〜１２０℃）であり、また、例えば、軟化剤を含む定着剤は、６０℃〜８０℃の温度で、加熱手段又は未定着の現像剤に供給される。
【００３８】
なお、本発明の第一、第二、第三、及び第四の実施形態によれば、現像剤それ自体の軟化温度を予め低下させておく必要がない。このため、現像剤が高温の環境に放置されても、現像剤の融着が促進されることがない。よって、現像剤を用いて、画像を現像するときに、現像剤の流動性を低下させることがなく、現像剤の現像特性の劣化が、起こらない。すなわち、現像剤それ自体の軟化温度を予め低下させておかなくても、軟化剤によって未定着の現像剤の軟化温度を低下させるため、従来よりも低い温度で未定着の現像剤を記録媒体へ定着させることが可能となる。
【００３９】
本発明の第一及び第二の実施形態においては、加熱手段に供給された軟化剤を含む定着剤を未定着の現像剤に供給し、且つ加熱手段によって、定着剤が供給された未定着の現像剤を加熱することができるので、定着剤に含まれる軟化剤による未定着の現像剤の軟化及び加熱手段による未定着の現像剤の加熱を、一つの工程として行うことができる。また、加熱手段に供給された定着剤を未定着の現像剤に供給するので、記録媒体における未定着の現像剤による画像の乱れを抑制することができる。
【００４０】
本発明の第一の実施形態においては、好ましくは、定着剤を加熱手段に供給するステップは、加熱手段に接触し得る接触手段を介して、加熱手段に定着剤を供給することを含む。本発明の第二の実施形態においては、供給手段は、定着剤を加熱手段に供給すると共に加熱手段に接触し得る接触手段をさらに含む。定着剤を加熱手段に供給すると共に加熱手段に接触し得る接触手段としては、例えば、定着剤を含有すると共に定着剤を加熱手段に供給することができるフェルトのパッドなどが挙げられる。加熱手段に接触し得る接触手段は、好ましくは、１００℃以下の温度に維持される。これにより、１００℃以下の温度における定着剤が、加熱手段に接触し得る接触手段を介して、加熱手段に供給される。定着剤が、加熱手段に接触し得る接触手段を介して、加熱手段に供給される場合には、接触手段に供給された定着剤を、接触手段を介して、より均一に加熱手段に供給することができる。より均一に加熱手段に供給された定着剤は、記録媒体における未定着の現像剤に、より均一に供給される。その結果、未定着の現像剤を、より均一に記録媒体に定着させることができる。
【００４１】
本発明の第一の実施形態において、好ましくは、未定着の現像剤を記録媒体へ定着させるときにのみ、接触手段を加熱手段に接触させる。本発明の第二の実施形態において、好ましくは、加熱手段に対する接触手段の接触を制御する制御手段をさらに含む。加熱手段に対する接触手段の接触を制御する手段（制御手段）は、接触手段を加熱手段に接触させること及び接触手段を加熱手段から離すことができる手段であればよい。そして、制御手段を制御することによって、未定着の現像剤を記録媒体に定着させるとき、ここでは、記録媒体における未定着の現像剤が、加熱手段に接近したときにのみ、接触手段を加熱手段に接触させ、接触手段に供給された定着剤を、加熱手段に供給し、加熱手段に供給された定着剤を、記録媒体における未定着の現像剤に供給する。このようにして、接触手段の加熱手段との接触による接触手段の温度の上昇を抑制することができる。その結果、接触手段に供給された定着剤に含まれる軟化剤の蒸発を低減することができる。従って、接触手段に供給される定着剤を、記録媒体における未定着の現像剤の定着に効率良く利用することができる。また、定着剤に含まれる軟化剤の蒸発による定着装置の汚染も低減することができる。
【００４２】
本発明の第一の実施形態において、好ましくは、定着剤を加熱手段に供給するステップは、加熱手段に定着液を直接供給する。本発明の第二の実施形態において、好ましくは、供給手段は、加熱手段に定着剤を直接供給する手段である。定着剤が、加熱手段に直接供給される場合には、記録媒体における未定着の現像剤の位置に対応する加熱手段の位置に定着剤を供給することができる。よって、定着剤を未定着の現像剤に効率良く供給することができる。その結果、記録媒体における未定着の現像剤を効率良く定着させることができる。
【００４３】
本発明の第一の実施形態において、好ましくは、定着液は、加熱手段に吹き付けられる。本発明の第二の実施形態において、好ましくは、供給手段は、加熱手段に定着剤を吹き付ける手段である。加熱手段に定着剤を吹き付ける手段としては、特に限定されないが、加圧噴霧式、圧電素子を用いた噴霧方式、及び静電的噴霧方式の噴霧手段などが挙げられる。定着液が、加熱手段に吹き付けられる場合には、加熱手段に供給する定着剤の量をより正確に且つより容易に制御することができる。特に、少量の定着剤を加熱手段に供給することができる。
【００４４】
本発明の第三及び第四の実施形態においては、軟化剤を含む定着剤を、未定着の現像剤に直接供給するので、定着剤に含まれる軟化剤によって、未定着の現像剤を軟化させた後に、定着剤が供給された未定着の現像剤を加熱することができる。その結果、未定着の現像剤を記録媒体に、より確実に定着することができる。また、軟化剤を含む定着剤を加熱することなく、例えば室温で、軟化剤を含む定着剤を、記録媒体における未定着の現像剤に供給することができるので、定着剤に含まれる軟化剤の蒸発を大幅に低減することができる。その結果、定着剤を、記録媒体における未定着の現像剤の定着に効率良く利用することができる。また、定着剤に含まれる軟化剤の蒸発による定着装置の汚染も低減することができる。さらに、記録媒体における未定着の現像剤の位置に定着剤を直接供給することができるため、定着剤を未定着の現像剤に効率良く供給することができる。よって、記録媒体における未定着の現像剤を効率良く定着させることができる。
【００４５】
本発明の第三の実施形態において、好ましくは、定着剤を未定着の現像剤に直接供給するステップは、未定着の現像剤に定着剤を吹き付けることを含む。本発明の第四の実施形態において、好ましくは、供給手段は、未定着の現像剤に定着剤を吹き付ける手段である。未定着の現像剤に定着剤を吹き付ける手段としては、特に限定されないが、加圧噴霧式、圧電素子を用いた噴霧方式、及び静電的噴霧方式の噴霧手段などが挙げられる。定着液が、未定着の現像剤に吹き付けられる場合には、未定着の現像剤に供給する定着剤の量をより正確に且つより容易に制御することができる。特に、少量の定着剤を未定着の現像剤に供給することができる。
【００４６】
本発明の第一、第二、第三、及び第四の実施形態において、好ましくは、定着剤は、液体である。定着剤が、液体である場合には、定着剤が気体（蒸気）である場合と異なり、定着剤の蒸発が少なく、未定着の現像剤に対する定着剤の直接的な供給のみならず、間接的な供給にも有効である。また、定着剤が半固体である場合と異なり、定着剤を、未定着の現像剤に比較的均一に供給すると共に定着剤を未定着の現像剤により速く作用させることができる。
【００４７】
本発明の第一、第二、第三、及び第四の実施形態において、好ましくは、定着剤は、離型剤をさらに含む。この場合には、定着剤は、未定着の現像剤を軟化させる軟化剤及び離型剤を含む。特に、定着剤は、軟化剤を含む離型剤であってもよい。ここで、定着剤に含まれる離型剤は、記録媒体に提供された未定着の現像剤を加熱手段によって加熱する際に、未定着の現像剤が記録媒体から加熱手段又は加圧手段へ付着すること（加熱手段又は加圧手段に対する現像剤のオフセット）を低減するための離型剤である。
【００４８】
一般に広く使用されるシリコーンオイルのような離型剤は、未定着の現像剤を軟化させる作用を持たず、むしろ、軟化剤による未定着の現像剤の軟化を阻害する阻害剤として作用する。このためシリコーンオイルのような離型剤を含む定着剤を用いると、未定着の現像剤が記録媒体に定着する速度（定着応答性）が、遅くなる傾向がある。しかしながら、本発明の第一、第二、第三、及び第四の実施形態においては、定着剤が、離型剤のみならず軟化剤を含むと共に、軟化剤を含む定着剤が供給された未定着の現像剤を加熱する。このように、軟化剤を含む定着剤が供給された未定着の現像剤を加熱するとき、軟化剤によって未定着の現像剤に含まれる樹脂を溶解させる又は膨潤させる速度は、軟化剤を含む定着剤が供給された未定着の現像剤の温度を上昇させることによって、増加させることができる。その結果、定着剤に、軟化剤による未定着の現像剤の軟化を阻害する離型剤が含まれていたとしても、軟化剤を含む定着剤が供給された未定着の現像剤を加熱することによって、軟化剤による未定着の現像剤に含まれる樹脂の溶解又は膨潤が促進され、未定着の現像剤が記録媒体に定着する速度（定着応答性）を、従来の熱定着方式における未定着の現像剤の定着速度よりも高めることが可能となる。
【００４９】
定着剤に含まれる離型剤は、好ましくは、アルキル基又はパーフルオロアルキル基を有する有機化合物である。アルキル基又はパーフルオロアルキル基を有する有機化合物は、特に、軟化剤に含まれ得る脂肪族エステルに対して優れた溶解性を有する。このため、定着剤において、軟化剤を、アルキル基又はパーフルオロアルキル基を有する有機化合物と溶解させることによって、軟化剤を定着剤中に安定して保存することができる。
【００５０】
また、定着剤に含まれる離型剤は、２００℃以上の沸点を有するジメチルシリコーン又はフッ素オイルである。２００℃以上の沸点を有するジメチルシリコーン又はフッ素オイルは、優れた耐熱性を有し、熱酸化されにくい。また、軟化剤に含まれ得る脂肪族エステルに対して優れた溶解性を有する。このため、定着剤において、軟化剤を、２００℃以上の沸点を有するジメチルシリコーン又はフッ素オイルと溶解させることによって、軟化剤を定着剤中に安定して保存することができると共に、軟化剤を含む定着剤が供給された未定着の現像剤を加熱するときにも、離型剤の特性が安定して維持される。
【００５１】
本発明の第一及び第三の実施形態において、好ましくは、未定着の現像剤を加熱するステップは、定着剤が供給された未定着の現像剤に圧力を加えることを含む。本発明の第二及び第四の実施形態において、好ましくは、未定着の現像剤に圧力を加える加圧手段をさらに含む。
【００５２】
軟化剤を含む定着剤が供給された未定着の現像剤に圧力を加えることによって、定着剤に含まれる軟化剤によって軟化させられた未定着の現像剤を変形させ、軟化剤によって軟化させられた未定着の現像剤を記録媒体に密着させることができる。よって、軟化剤によって軟化させられた未定着の現像剤を加熱するのみならず、加圧することによって、現像剤を記録媒体により確実に定着させることができる。軟化剤を含む定着剤が供給された未定着の現像剤に圧力を加える手段（加圧手段）は、例えば、ローラ型の面を有すると共にローラ型の面によって未定着の現像剤に圧力を加えるローラ型の加圧手段（加圧ローラ）であってもよく、ベルト型の面を有すると共にベルト型の面によって未定着の現像剤に圧力を加えるベルト型の加圧手段（加圧ベルト）であってもよい。加圧手段が、加圧ローラである場合には、小型の定着装置を提供することができる。加圧手段が、加圧ベルトである場合には、定着剤が供給された未定着の現像剤に圧力を加える面の面積を大きくすることができるため、定着剤が供給された未定着の現像剤に、圧力を加える時間を長くすることができる。よって、定着剤が供給された未定着の現像剤に有効に圧力を加えることができるため、記録媒体の線速度を高めた高速定着に有利である。
【００５３】
本発明の第一、第二、第三、及び第四の実施形態において、好ましくは、加熱手段は、加熱ローラである。ここで、加熱ローラは、ローラ型の面を有すると共にローラ型の面によって未定着の現像剤に熱を加えるローラ型の加熱手段である。加熱ローラの熱源としては、例えば、加熱ローラ内に設けられたハロゲンヒーターなどが挙げられ、このようなハロゲンヒーターは、加熱ローラ内で発熱し、加熱ローラの内部から加熱ローラの表面までの熱伝導によって、加熱ローラの表面を加熱する。なお、熱源は、加熱ローラと一体であってもよく、一体でなくてもよい。加熱手段が、加熱ローラである場合には、比較的軽量且つ小型の加熱ローラを用いて、軟化剤が供給された未定着の現像剤を加熱することができるので、比較的小型の定着装置を提供することができる。
【００５４】
本発明の第一、第二、第三、及び第四の実施形態において、好ましくは、加熱手段は、加熱ベルトである。ここで、加熱ベルトは、ベルト型の面を有すると共にベルト型の面によって未定着の現像剤に熱を加えるベルト型の加熱手段である。加熱ベルトは、無端金属ベルト、例えば、ニッケルのシームレスベルト等の表面にシリコーンゴム等を貼り付けた構成を有するものが好ましい。加熱ベルトの熱源としては、例えば、加熱ベルトの内側に設けられたハロゲンヒーターなどが挙げられ、このようなハロゲンヒーターは、加熱ベルトの内側で発熱し、加熱ベルトの内側から加熱ベルトの表面までの熱伝導によって、加熱ベルトの表面を加熱する。加熱手段が、加熱ベルトである場合には、軟化剤を含む定着剤が供給された未定着の現像剤に熱を加える面の面積を大きくすることができるため、定着剤が供給された未定着の現像剤に、熱を加える時間を長くすることができる。よって、定着剤が供給された未定着の現像剤に有効に熱を加えることができるため、記録媒体の線速度を高めた高速定着に有利である。
【００５５】
本発明の第一、第二、第三、及び第四の実施形態において、好ましくは、軟化剤は、脂肪族エステルを含む。脂肪族エステルは、現像剤に含まれ得る樹脂の少なくとも一部を溶解又は膨潤させる溶解性又は膨潤性に優れるため、軟化剤は、脂肪族エステルを含むことが好ましい。また、軟化剤については、人体に対する安全性の観点から、その急性経口毒性ＬＤ５０が３ｇ／ｋｇよりも大きいことが好ましい。脂肪族エステルは、化粧品原料として多用されているように、人体に対する安全性が高い。さらに、記録媒体に対する現像剤の定着は、密閉された環境において頻繁に使用される機器で行われ、軟化剤は、現像剤の記録媒体への定着後にも、現像剤中に残留するため、記録媒体に対する現像剤の定着は、揮発性有機化合物（ＶＯＣ）及び不快臭の発生を伴わないことが、好ましい。すなわち、軟化剤は、揮発性有機化合物（ＶＯＣ）及び不快臭の原因となる物質を含まないことが好ましい。脂肪族エステルは、一般に汎用される有機溶剤（トルエン、キシレン、メチルエチルケトン、酢酸エチルなど）と比較して、高い沸点及び低い揮発性を有し、刺激臭を持たない。また、脂肪族エステルは、水質汚染を引き起こさないという利点も有する。なお、オフィス環境等における臭気を高い精度で測定することができる実用的な臭気の測定尺度として、官能測定である三点比較式臭袋法による臭気指数（１０×ｌｏｇ（物質の臭気が感じられなくなるまでの物質の希釈倍率））を臭気の指標とすることができる。現像剤に含まれ得る樹脂の少なくとも一部を溶解又は膨潤させる軟化剤に含まれる脂肪族エステルの臭気指数は、１０以下であることが好ましい。この場合には、通常のオフィス環境では、不快臭を感じなくなる。なお、現像剤に含まれ得る樹脂の少なくとも一部を溶解又は膨潤させる軟化剤のみならず、定着剤に含まれる軟化剤以外の成分も、同様に、不快臭及び刺激臭を有さないことが好ましい。なお、定着剤に含まれる軟化剤以外の成分の含有量は、多いため、定着剤に含まれる軟化剤以外の成分の臭気指数は、好ましくは、７以下であり、さらに好ましくは、３以下である。
【００５６】
上記の脂肪族エステルは、好ましくは、飽和脂肪族エステルを含む。上記の脂肪族エステルが、飽和脂肪族エステルを含む場合には、軟化剤の保存安定性（酸化、加水分解などに対する耐性）を向上させることができる。また、飽和脂肪族エステルは、人体に対する安全性が高い。さらに、多くの飽和脂肪族エステルは、室温でも現像剤に含まれ得る樹脂を１秒以内で溶解又は膨潤させることができるため、多くの飽和脂肪族エステルは、加熱することによって、現像剤に含まれ得る樹脂を数ミリ秒程度の時間で溶解又は膨潤させることができる。加えて、飽和脂肪族エステルは、現像剤に含まれ得る樹脂が溶解又は膨潤した後、記録媒体に提供された現像剤の粘着感を低下させることができる。これは、容易に揮発しない飽和脂肪族エステルが、溶解又は膨潤した現像剤の表面に油膜を形成するためであると考えられる。
【００５７】
上記の飽和脂肪族エステルは、好ましくは、一般式
Ｒ１ＣＯＯＲ２
で表される化合物を含み、Ｒ１は、炭素数が１１以上１４以下のアルキル基であり、Ｒ２は、炭素数が１以上３以下のアルキル基である。上記の飽和脂肪族エステルが、一般式Ｒ１ＣＯＯＲ２で表される化合物を含み、Ｒ１は、炭素数が１１以上１４以下のアルキル基であり、Ｒ２は、炭素数が１以上３以下のアルキル基である場合には、トナーに含まれる樹脂に対する溶解性又は膨潤性を向上させることができる。また、上記の化合物である脂肪族モノカルボン酸エステルは、優れた耐熱性及び低い揮発性を有するため、未定着の現像剤を加熱する定着において、軟化剤の劣化が、少なく、よって、未定着の現像剤の定着に関する軟化剤の信頼性を向上させることができる。さらに、上記の化合物の臭気指数は、１０以下であり、上記の化合物は、不快臭及び刺激臭を有さない。上記の化合物である脂肪族モノカルボン酸エステルとしては、例えば、ラウリン酸エチル、ラウリン酸ヘキシル、トリデシル酸エチル、トリデシル酸イソプロピル、ミリスチン酸エチル、ミリスチン酸イソプロピル等が挙げられる。
【００５８】
上記の脂肪族エステルは、好ましくは、脂肪族ジカルボン酸エステルを含む。上記の脂肪族エステルが、脂肪族ジカルボン酸エステルを含む場合には、より短い時間でトナーに含まれる樹脂を溶解又は膨潤させることができる。例えば、６０ｐｐｍ程度の高速印字では、未定着の現像剤が記録媒体に定着するまでの時間は、数十ミリ秒以内であることが望ましい。上記の脂肪族エステルが、脂肪族ジカルボン酸エステルを含む場合には、未定着の現像剤が記録媒体に定着するのに要する時間を、数十ミリ秒以内にすることが可能となる。さらに、定着剤に、より少量の軟化剤を用いることによって、現像剤に含まれ得る樹脂を溶解又は膨潤させることができるため、定着剤に含まれる軟化剤の含有量を、低減することができる。例えば、定着剤の媒質としてシリコーンオイルを用いる場合、５重量％以下の含有量の軟化剤を用いて、未定着の現像剤を、加熱によって定着させることができる。また、上記の脂肪族エステルが、脂肪族ジカルボン酸エステルを含む場合には、上記の脂肪族エステルが、脂肪族ジカルボン酸エステルを含まない場合と比較して、より未定着の現像剤を定着させる温度を低下させることができる。
【００５９】
上記の脂肪族ジカルボン酸エステルは、好ましくは、一般式
Ｒ３（ＣＯＯＲ４）２
で表される化合物を含み、Ｒ３は、炭素数が３以上８以下のアルキレン基であり、Ｒ４は、炭素数が２以上５以下のアルキル基である。上記の脂肪族ジカルボン酸エステルが、一般式Ｒ３（ＣＯＯＲ４）２で表される化合物を含み、Ｒ３は、炭素数が３以上８以下のアルキレン基であり、Ｒ４は、炭素数が２以上５以下のアルキル基である場合には、トナーに含まれる樹脂に対する溶解性又は膨潤性を向上させることができる。上記の化合物である脂肪族ジカルボン酸エステルは、優れた耐熱性及び低い揮発性を有するため、未定着の現像剤を加熱する定着において、軟化剤の劣化が、少なく、よって、未定着の現像剤の定着に関する軟化剤の信頼性を向上させることができる。さらに、上記の化合物の臭気指数は、１０以下であり、上記の化合物は、不快臭及び刺激臭を有さない。すなわち、上記の化合物の臭気は、ほとんどないため、記録媒体に未定着のトナーを定着させる間にも、ユーザーに不快感を与えない。上記の化合物である脂肪族ジカルボン酸エステルとしては、例えば、コハク酸ジエチル、アジピン酸ジエチル、アジピン酸ジイソブチル、アジピン酸ジイソプロピル、アジピン酸ジイソデシル、セバシン酸ジエチル、セバシン酸ジブチル等が挙げられる。
【００６０】
上記の脂肪族エステルは、好ましくは、脂肪族ジカルボン酸ジアルコキシアルキルを含む。上記の脂肪族エステルが、脂肪族ジカルボン酸ジアルコキシアルキルを含む場合には、記録媒体に対する未定着の現像剤の定着性を向上させることができる。また、脂肪族ジカルボン酸ジアルコキシアルキルは、離型剤との溶解性に優れている。よって、離型剤を含む定着剤に、定着剤に含まれる脂肪族ジカルボン酸ジアルコキシアルキルの含有量を増加させることができる。これにより、未定着の現像剤をより良好に軟化させることができ、未定着の現像剤の定着性を向上させることができる。また、離型剤を含む定着剤に、脂肪族ジカルボン酸ジアルコキシアルキルを、より均一に溶解させることができる。これにより、未定着の現像剤に、定着剤に含まれる軟化剤を、より均一に供給することができる。さらに、上記の脂肪族エステルが、脂肪族ジカルボン酸ジアルコキシアルキルを含む場合には、上記の脂肪族エステルが、脂肪族ジカルボン酸ジアルコキシアルキルを含まない場合と比較して、より未定着の現像剤を定着させる温度を低下させることができる。
【００６１】
上記の脂肪族ジカルボン酸ジアルコキシアルキルは、好ましくは、一般式
Ｒ５（ＣＯＯＲ６−Ｏ−Ｒ７）２
で表される化合物を含み、Ｒ５は、炭素数が２以上８以下のアルキレン基であり、Ｒ６は、炭素数が２以上４以下のアルキレン基であり、Ｒ７は、炭素数が１以上４以下のアルキル基である。上記の脂肪族ジカルボン酸ジアルコキシアルキルは、一般式Ｒ５（ＣＯＯＲ６−Ｏ−Ｒ７）２で表される化合物を含み、Ｒ５は、炭素数が２以上８以下のアルキレン基であり、Ｒ６は、炭素数が２以上４以下のアルキレン基であり、Ｒ７は、炭素数が１以上４以下のアルキル基である場合には、現像剤に含まれ得る樹脂に対する溶解性又は膨潤性を向上させることができる。上記の化合物である脂肪族ジカルボン酸ジアルコキシアルキルは、優れた耐熱性及び低い揮発性を有するため、未定着の現像剤を加熱する定着において、軟化剤の劣化が、少なく、よって、未定着の現像剤の定着に関する軟化剤の信頼性を向上させることができる。また、上記の化合物の臭気指数は、１０以下であり、上記の化合物は、不快臭及び刺激臭を有さない。すなわち、上記の化合物の臭気は、ほとんどないため、記録媒体に未定着のトナーを定着させる間にも、ユーザーに不快感を与えない。上記の化合物である脂肪族ジカルボン酸ジアルコキシアルキルとしては、例えば、コハク酸ジエトキシエチル、コハク酸ジブトキシエチル、アジピン酸ジエトキシエチル、アジピン酸ジブトキシエチル、セバシン酸ジエトキシエチル等が挙げられる。
【００６２】
図１（ａ）及び（ｂ）は、定着剤を現像剤に接触手段及び加熱ローラを介して供給する、本発明による現像剤の定着方法及び定着装置の例を説明する図である。図１（ａ）は、記録媒体における未定着の現像剤を定着させない状態を説明する図であり、図１（ｂ）は、記録媒体における未定着の現像剤を定着させる状態を説明する図である。
【００６３】
図１（ａ）及び（ｂ）に示すように、記録媒体としての記録紙１１上に未定着の現像剤としての未定着トナー１２が提供され、未定着トナー１２は、所定の電荷量に帯電されており、微弱な静電気力によって、記録紙１１に付着している。
【００６４】
定着装置は、熱源としてのハロゲンヒーター１３を内部に備えた、加熱手段としての加熱ローラ１４、加圧手段としての加圧ローラ１５、軟化剤及び離型剤を含む液体の定着剤を供給する供給手段を含む。ここで、加熱ローラ１４及び加圧ローラ１５は、対向して設けられると共に加熱ローラ１４及び加圧ローラ１５の間にニップを形成し、互いに逆方向に回転する。加熱ローラ１４の表面は、その内部に設けられたハロゲンヒーター１３によって、加熱される。供給手段は、定着剤を収容する定着剤充填タンク１６、及び加熱ローラ１４の表面に接触することができる接触手段としての定着剤塗布パッド１７を含む。定着剤塗布パッド１７には、定着剤充填タンク１６から毛管力によって供給され、定着剤塗布パッド１７は、加熱ローラ１４に接触することによって、加熱ローラ１４の表面に定着剤を供給することができる。また、定着装置は、加熱ローラ１４に対する定着剤塗布パッド１７の接触を制御するパッド制御機構１８をさらに含む。ここで、定着剤充填タンク１６は、室温に維持されており、定着剤塗布パッド１７は、１００℃以下の温度に維持される。このため、定着剤塗布パッド１７に供給された定着剤の温度もまた、１００℃以下に維持される。よって、定着剤は、１００℃以下の温度で加熱ローラ１４に供給される。
【００６５】
記録紙１１上に付着した未定着トナー１２は、加熱ローラ１４及び加圧ローラ１５の回転によって、加熱ローラ１４及び加圧ローラ１５の間のニップを通じて搬送される。図１（ａ）に示すように、加熱ローラ１４の付近に未定着トナー１２が存在せず、記録紙１１における未定着トナー１２を定着させないときには、定着剤塗布パッド１７は、パッド制御機構１８によって、加熱ローラ１４に接触していない。そして、図１（ｂ）に示すように、加熱ローラ１４の付近に未定着トナー１２が存在し、記録紙１１における未定着トナー１２を定着させるときには、定着剤塗布パッド１７を、パッド制御機構１８によって、加熱ローラ１４に接触させる。
【００６６】
定着剤塗布パッド１７は、１００℃以下の温度に維持されるが、定着剤塗布パッド１７の温度が、１００℃を超えるときには、パッド制御機構１８によって、定着剤塗布パッド１７を、加熱ローラ１４から離す。特に、図１（ａ）に示すように、記録紙１１における未定着トナー１２を定着させないときには、定着剤塗布パッド１７を、加熱ローラ１４から離しておき、定着剤塗布パッド１７の温度を低下させておく。また、図１（ｂ）に示すように、記録紙１１における未定着トナー１２を定着させるときに、定着剤塗布パッド１７の温度が、１００℃を超えるときには、定着剤塗布パッド１７を、加熱ローラ１４から離すと同時に、加熱ローラ１４及び加圧ローラ１５の回転を停止して、記録紙１１の搬送を停止させる。そして、定着剤塗布パッド１７の温度が１００以下になるまで、定着剤塗布パッド１７を、加熱ローラ１４から離しておく。あるいは、定着剤塗布パッド１７を冷却するための公知の冷却手段を定着装置に設けて、加熱ローラ１４から離れた定着剤塗布パッド１７を１００℃以下の温度まで冷却してもよい。
【００６７】
図１（ｂ）に示すように、記録紙１１における未定着トナー１２を定着させるときには、記録紙１１上の未定着トナー１２は、加熱ローラ１４及び加圧ローラ１５の間に挟まれる。そして、定着剤塗布パッド１７から加熱ローラ１４に供給された定着剤が、加熱ローラ１４の回転によって、記録紙１１上の未定着トナー１２に供給される。なお、定着剤に離型剤が含まれているので、定着剤は、加熱ローラ１４から記録紙１１上の未定着トナー１２へ容易に供給される。そして、記録紙１１上の未定着トナー１２は、供給された定着剤に含まれる軟化剤によって軟化させられると同時に、加熱ローラ１４によって加熱され、さらに加圧ローラ１５によって、加圧される。軟化剤によって軟化した未定着トナーの軟化温度は、低下しているため、加熱ローラ１４による加熱で容易に融着し、加圧ローラ１５による加圧で容易に変形する。このようにして、記録紙１１に未定着トナー１２が容易に定着し、記録紙１１上に定着トナー１９による画像が形成される。
【００６８】
図２は、定着剤を現像剤に接触手段及び加熱ベルトを介して供給する、本発明による現像剤の定着方法及び定着装置の例を説明する図である。
【００６９】
図２に示すように、記録媒体としての記録紙２１上に未定着の現像剤としての未定着トナー２２が提供され、未定着トナー２２は、所定の電荷量に帯電されており、微弱な静電気力によって、記録紙２１に付着している。
【００７０】
定着装置は、熱源としてのハロゲンヒーター２３を内部に備えた、加熱手段としての加熱ベルト２４、加圧手段としての二つの加圧ローラ２５、軟化剤及び離型剤を含む液体の定着剤を供給する供給手段を含む。ここで、加熱ベルト２４及び二つの加圧ローラ２５の各々は、対向して設けられると共に加熱ベルト２４及び二つの加圧ローラ２５の各々の間にニップを形成し、互いに逆方向に回転する。加熱ベル度２４は、三つの加熱ベルト駆動ローラによって、一つの方向に回転させられる。加熱ベルト２４の表面は、その内側に設けられたハロゲンヒーター２３によって、加熱される。供給手段は、定着剤を収容する定着剤充填タンク２６、及び加熱ベルト２４の表面に接触することができる接触手段としての定着剤塗布パッド２７を含む。定着剤塗布パッド２７には、定着剤充填タンク２６から毛管力によって供給され、定着剤塗布パッド２７は、加熱ベルト２４に接触することによって、加熱ベルト２４の表面に定着剤を供給することができる。また、定着装置は、加熱ベルト２４に対する定着剤塗布パッド２７の接触を制御するパッド制御機構２８をさらに含む。ここで、定着剤充填タンク２６は、室温に維持されており、定着剤塗布パッド２７は、１００℃以下の温度に維持される。このため、定着剤塗布パッド２７に供給された定着剤の温度もまた、１００℃以下に維持される。よって、定着剤は、１００℃以下の温度で加熱ベルト２４に供給される。
【００７１】
記録紙２１上に付着した未定着トナー２２は、加熱ベルト２４及び二つの加圧ローラ２５の回転によって、加熱ベルト２４及び二つの加圧ローラ２５の各々の間におけるニップを通じて搬送される。加熱ベルト２４の付近に未定着トナー２２が存在せず、記録紙２１における未定着トナー２２を定着させないときには、定着剤塗布パッド２７は、パッド制御機構２８によって、加熱ベルト２４に接触していない。そして、加熱ベルト２４の付近に未定着トナー２２が存在し、記録紙２１における未定着トナー２２を定着させるときには、定着剤塗布パッド２７を、パッド制御機構２８によって、加熱ベルト２４に接触させる。
【００７２】
定着剤塗布パッド２７は、１００℃以下の温度に維持されるが、定着剤塗布パッド２７の温度が、１００℃を超えるときには、パッド制御機構２８によって、定着剤塗布パッド２７を、加熱ベルト２４から離す。特に、記録紙２１における未定着トナー２２を定着させないときには、定着剤塗布パッド２７を、加熱ベルト２４から離しておき、定着剤塗布パッド２７の温度を低下させておく。また、記録紙２１における未定着トナー２２を定着させるときに、定着剤塗布パッド２７の温度が、１００℃を超えるときには、定着剤塗布パッド２７を、加熱ベルト２４から離すと同時に、加熱ベルト２４及び二つの加圧ローラ２５の回転を停止して、記録紙２１の搬送を停止させる。そして、定着剤塗布パッド２７の温度が１００以下になるまで、定着剤塗布パッド２７を、加熱ベルト２４から離しておく。あるいは、定着剤塗布パッド２７を冷却するための公知の冷却手段を定着装置に設けて、加熱ベルト２４から離れた定着剤塗布パッド２７を１００℃以下の温度まで冷却してもよい。
【００７３】
記録紙２１における未定着トナー２２を定着させるときには、記録紙２１上の未定着トナー２２は、加熱ベルト２４及び二つの加圧ローラ２５のいずれかの間に挟まれる。そして、定着剤塗布パッド２７から加熱ベルト２４に供給された定着剤が、加熱ベルト２４の回転によって、記録紙２１上の未定着トナー２２に供給される。なお、定着剤に離型剤が含まれているので、定着剤は、加熱ベルト２４から記録紙２１上の未定着トナー２２へ容易に供給される。そして、記録紙２１上の未定着トナー２２は、供給された定着剤に含まれる軟化剤によって軟化させられると同時に、加熱ベルト２４によって加熱され、さらに二つの加圧ローラ２５によって、加圧される。軟化剤によって軟化した未定着トナーの軟化温度は、低下しているため、加熱ベルト２４による加熱で容易に融着し、二つの加圧ローラ２５による加圧で容易に変形する。このようにして、記録紙２１に未定着トナー２２が容易に定着し、記録紙２１上に定着トナー２９による画像が形成される。
【００７４】
図３は、定着剤を加熱ローラに直接供給する、本発明による現像剤の定着方法及び定着装置の例を説明する図である。
【００７５】
図３に示すように、記録媒体としての記録紙３１上に未定着の現像剤としての未定着トナー３２が提供され、未定着トナー３２は、所定の電荷量に帯電されており、微弱な静電気力によって、記録紙３１に付着している。
【００７６】
定着装置は、熱源としてのハロゲンヒーター３３を内部に備えた、加熱手段としての加熱ローラ３４、加圧手段としての加圧ローラ３５、軟化剤及び離型剤を含む液体の定着剤を供給する供給手段を含む。ここで、加熱ローラ３４及び加圧ローラ３５は、対向して設けられると共に加熱ローラ３４及び加圧ローラ３５の間にニップを形成し、互いに逆方向に回転する。加熱ローラ３４の表面は、その内部に設けられたハロゲンヒーター３３によって、加熱される。供給手段は、定着剤を収容する定着剤充填タンク３６及び定着剤充填タンク３６から供給される定着剤を加熱ローラ３４の表面に吹き付けることができるスプレーノズル３７を含む。スプレーノズル３７には、定着剤充填タンク３６から毛管力によって供給され、スプレーノズル３７は、加熱ローラ３４に定着剤を吹き付けることによって、加熱ローラ３４の表面に定着剤を供給することができる。なお、定着装置に、加熱ローラ３４に対するスプレーノズル３７の位置を制御する手段を設けてもよい。ここで、定着剤充填タンク３６及びスプレーノズル３７は、１００℃以下である室温に維持されている。このため、スプレーノズル３７に供給された定着剤の温度もまた、室温に維持されており、定着剤は、１００℃以下である室温で加熱ローラ３４に供給される。
【００７７】
記録紙３１上に付着した未定着トナー３２は、加熱ローラ３４及び加圧ローラ３５の回転によって、加熱ローラ３４及び加圧ローラ３５の間のニップを通じて搬送される。加熱ローラ３４の付近に未定着トナー３２が存在せず、記録紙３１における未定着トナー３２を定着させないときには、スプレーノズル３７は、加熱ローラ３４に定着剤を吹き付けない。そして、加熱ローラ３４の付近に未定着トナー３２が存在し、記録紙３１における未定着トナー３２を定着させるときには、スプレーノズル３７は、加熱ローラ３４に定着剤を吹き付ける。
【００７８】
記録紙３１における未定着トナー３２を定着させるときには、記録紙３１上の未定着トナー３２は、加熱ローラ３４及び加圧ローラ３５の間に挟まれる。そして、スプレーノズル３７から加熱ローラ３４に供給された定着剤が、加熱ローラ３４の回転によって、記録紙３１上の未定着トナー３２に供給される。なお、定着剤に離型剤が含まれているので、定着剤は、加熱ローラ３４から記録紙３１上の未定着トナー３２へ容易に供給される。そして、記録紙３１上の未定着トナー３２は、供給された定着剤に含まれる軟化剤によって軟化させられると同時に、加熱ローラ３４によって加熱され、さらに加圧ローラ３５によって、加圧される。軟化剤によって軟化した未定着トナーの軟化温度は、低下しているため、加熱ローラ３４による加熱で容易に融着し、加圧ローラ３５による加圧で容易に変形する。このようにして、記録紙３１に未定着トナー３２が容易に定着し、記録紙３１上に定着トナー３８による画像が形成される。
【００７９】
図４は、定着剤を未定着の現像剤に直接供給する、本発明による現像剤の定着方法及び定着装置の例を説明する図である。
【００８０】
図４に示すように、記録媒体としての記録紙４１上に未定着の現像剤としての未定着トナー４２が提供され、未定着トナー４２は、所定の電荷量に帯電されており、微弱な静電気力によって、記録紙４１に付着している。
【００８１】
定着装置は、熱源としてのハロゲンヒーター４３を内部に備えた、加熱手段としての加熱ローラ４４、加圧手段としての加圧ローラ４５、軟化剤を含む液体の定着剤を供給する供給手段を含む。ここで、加熱ローラ４４及び加圧ローラ４５は、対向して設けられると共に加熱ローラ４４及び加圧ローラ４５の間にニップを形成し、互いに逆方向に回転する。加熱ローラ４４の表面は、その内部に設けられたハロゲンヒーター４３によって、加熱される。供給手段は、定着剤を収容する定着剤充填タンク４６及び定着剤充填タンク４６から供給される定着剤を未定着トナー４２に直接吹き付けることができるスプレーノズル４７を含む。スプレーノズル４７には、定着剤充填タンク４６から毛管力によって供給され、スプレーノズル４７は、未定着トナー４２に定着剤を直接吹き付けることによって、未定着トナー４２に定着剤を供給することができる。なお、定着装置に、記録紙４１における未定着トナー４２の位置に対してスプレーノズル４７の位置を制御する手段を設けてもよい。ここで、定着剤充填タンク４６及びスプレーノズル４７は、１００℃以下である室温に維持されている。このため、スプレーノズル４７に供給された定着剤の温度もまた、室温に維持されており、定着剤は、１００℃以下である室温で未定着トナー４２に直接供給される。
【００８２】
記録紙４１上に付着した未定着トナー４２は、加熱ローラ４４及び加圧ローラ４５の回転によって、加熱ローラ４４及び加圧ローラ４５の間のニップに向かって搬送される。記録紙４１における、スプレーノズル４７から定着剤を吹き付けることができる位置に、未定着トナー４２が存在せず、記録紙４１における未定着トナー４２を定着させないときには、スプレーノズル４７は、記録紙４１に定着剤を吹き付けない。そして、記録紙４１における、スプレーノズル４７から定着剤を吹き付けることができる位置に、未定着トナー４２が存在し、記録紙４１における未定着トナー４２を定着させるときには、スプレーノズル４７は、記録紙４１における未定着トナー４２に定着剤を吹き付ける。ここで、記録紙４１上の未定着トナー４２は、供給された定着剤に含まれる軟化剤によって軟化させられる。
【００８３】
そして、記録紙４１上の、定着剤が供給された未定着トナー４２は、加熱ローラ４４及び加圧ローラ４５の回転によって、加熱ローラ４４及び加圧ローラ４５のニップまで搬送され、加熱ローラ４４及び加圧ローラ４５の間に挟まれる。定着剤が供給された未定着トナー４２は、加熱ローラ４４によって加熱され、さらに加圧ローラ４５によって、加圧される。軟化剤によって軟化した未定着トナーの軟化温度は、低下しているため、加熱ローラ４４による加熱で容易に融着し、加圧ローラ４５による加圧で容易に変形する。このようにして、記録紙４１に未定着トナー４２が容易に定着し、記録紙４１上に定着トナー４８による画像が形成される。
【００８４】
本発明による第五の実施形態の画像形成方法は、本発明による第一又は第三の実施形態である現像剤の定着方法を用いて画像を形成する。また、本発明による第六の実施形態の画像形成装置は、本発明による第二又は第四の実施形態である現像剤の定着装置を含む。画像形成方法は、例えば、電子写真方式による記録媒体に画像を形成する方法であってもよい。画像形成装置は、例えば、複写機、プリンター、ファクシミリ等の装置であってもよい。本発明による第五の実施形態の画像形成方法及び本発明による第六の実施形態の画像形成装置によれば、それぞれ、上述したように、記録媒体に現像剤を定着させる温度を低下させることが可能な画像形成方法及び画像形成装置を提供することができる。
【００８５】
図５（ａ）及び（ｂ）は、本発明による画像形成方法及び画像形成装置の具体例を説明する図である。図５（ａ）は、複写機又はプリンターであってもよい、カラー電子写真のタンデム方式の画像形成装置を示す図であり、図５（ｂ）は、図５（ａ）の画像形成装置の画像形成ユニットの一つを示す。
【００８６】
図５（ａ）及び（ｂ）に示す画像形成装置は、トナー像担持体として中間転写ベルト１０１を有する。この中間転写ベルト１０１は、三つの支持ローラ１０２、１０３及び１０４に張架されており、時計方向に回転する。この中間転写ベルト１０１に対しては、ブラック、イエロー、マゼンタ及びシアンの各画像形成ユニット１０５ＢＫ、１０５Ｙ、１０５Ｍ及び１０５Ｃが配列されている。これら画像形成ユニットの上方には、図示してない露光装置が配置されている。例えば、画像形成装置が、複写機である場合には、スキャナーで原稿の画像情報を読み込み、この画像情報に応じて、各感光体ドラム１０６上に静電潜像を書き込むための各光Ｌが露光装置により照射される。
【００８７】
中間転写ベルト１０１の支持ローラ１０４に対向する位置には、二次転写装置１０７が設けられている。二次転写装置１０７は、二つの支持ローラ１０８及び１０９の間に張架された二次転写ベルト１１０で構成されている。なお、二次転写装置１０７としては、転写ベルト以外に転写ローラを用いてもよい。また、中間転写ベルト１０１の支持ローラ１０２に対向する位置には、ベルトクリーニング装置１１１が配置されている。ベルトクリーニング装置１１１は、中間転写ベルト１０１上に残留するトナーを除去するために配置されている。
【００８８】
記録媒体としての記録紙１１２は、一対の給紙ローラ１１３で二次転写部へ導かれ、トナー像を記録紙１１２に転写する際に、二次転写ベルト１１０を中間転写ベルト１０１に押し当てることによって、トナー像の転写を行う。
【００８９】
トナー像が転写された記録紙１１２は、二次転写ベルト１１０によって搬送され、記録紙１１２に転写された未定着のトナー像は、例えば、図１〜図４に示すような、本発明による第二の実施形態に従うトナーの定着装置１１９によって、定着される。すなわち、本発明による第一の実施形態に従うトナーの定着方法によって、記録紙１１２に転写された未定着のトナー像には、トナーの定着装置１１９において供給される定着液が付与され、定着液が付与されたトナー像は、加熱されて、記録紙１１２に定着する。ここで、定着液に含まれる、トナーを軟化させる軟化剤によって、トナーを軟化させ、トナーが記録紙１１２に定着する温度を、低下させることができる。よって、定着装置１１９において、トナーを加熱する温度を低下させることができる。
【００９０】
次に、画像形成ユニットについて説明する。図５（ｂ）に示すように、画像形成ユニットには、感光体ドラム１０６の周辺に、帯電装置１１４、現像装置１１５、クリーニング装置１１６及び除電装置１１７が配置されている。また、中間転写ベルト１０１を介して、感光体ドラム１０６に対向する位置に、一次転写装置１１８が設けられている。
【００９１】
帯電装置１１４は、帯電ローラを採用した接触帯電方式の帯電装置である。帯電装置１１４は、帯電ローラを感光体ドラム１０６に接触させて、感光体ドラム１０６に電圧を印加することにより、感光体ドラム１０６の表面を一様に帯電する。この帯電装置１１４としては、非接触のスコロトロン等を採用した非接触帯電方式の帯電装置を採用することもできる。
【００９２】
現像装置１１５は、現像剤中のトナーを感光体ドラム１０６上の静電潜像に付着させ、静電潜像を可視化させる。ここで、各色に対応するトナーは、それぞれの色に着色された樹脂材料からなり、これらの樹脂材料は、本発明による第一の実施形態の定着液により溶解又は膨潤する。なお、現像装置１１５は、図示しない攪拌部及び現像部を有し、現像に使用されなかった現像剤は、攪拌部に戻され、再利用される。攪拌部におけるトナーの濃度は、トナー濃度センサーによって検出され、トナーの濃度が、一定であるように制御されている。
【００９３】
一次転写装置１１８は、感光体ドラム１０６上で可視化されたトナーを中間転写ベルト１０１に転写する。ここでは、一次転写装置１１８としては、転写ローラを採用しており、転写ローラを、中間転写ベルト１０１を挟んで感光体ドラム１０６に押し当てている。一次転写装置１１８としては、導電性ブラシ、非接触のコロナチャージャー等を採用することもできる。
【００９４】
クリーニング装置１１６は、感光体ドラム１０６上の不要なトナーを除去する。クリーニング装置１１６としては、感光体ドラム１０６に押し当てられる先端を備えたブレードを用いることができる。ここで、クリーニング装置１１６によって回収されたトナーは、図示しない回収スクリュー及びトナーリサイクル装置によって、現像装置１２５に回収され、再利用される。
【００９５】
除電装置１１７は、ランプで構成されており、光を照射して感光体ドラム１０６の表面電位を初期化する。
【００９６】
次に、本発明の実施形態を、実施例を用いて説明する。
【００９７】
［実施例１］
以下に示す組成を有する未定着トナーの定着剤を調整した。
【００９８】
＜定着剤の組成＞
ポリジメチルシロキサン（東レダウコーニングシリコーン社「ＳＨ２００」１００ｃｓ）：８０重量％
ラウリン酸ヘキシル：２０重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度が、９０℃であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【００９９】
［実施例２］
以下に示す組成を有する未定着トナーの定着剤を調整した。
【０１００】
＜定着剤の組成＞
ポリジメチルシロキサン（東レダウコーニングシリコーン社「ＳＨ２００」１００ｃｓ）：８０重量％
ミリスチン酸イソプロピル：２０重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度が、９０℃であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【０１０１】
［実施例３］
以下に示す組成を有する未定着トナーの定着剤を調整した。
【０１０２】
＜定着剤の組成＞
ポリジメチルシロキサン（東レダウコーニングシリコーン社「ＳＨ２００」１００ｃｓ）：８０重量％
アジピン酸ジイソブチル：２０重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度が、２５℃であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【０１０３】
［実施例４］
以下に示す組成を有する未定着トナーの定着剤を調整した。
【０１０４】
＜定着剤の組成＞
ポリジメチルシロキサン（東レダウコーニングシリコーン社「ＳＨ２００」３００ｃｓ）：８０重量％
セバシン酸ジブチル：２０重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度が、６０℃であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【０１０５】
［実施例５］
以下に示す組成を有する未定着トナーの定着剤を調整した。
【０１０６】
＜定着剤の組成＞
ポリジメチルシロキサン（東レダウコーニングシリコーン社「ＳＨ２００」３００ｃｓ）：８０重量％
コハク酸ジエトキシエチル：２０重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度が、９０℃であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【０１０７】
［実施例６］
以下に示す組成を有する未定着トナーの定着剤を調整した。
【０１０８】
＜定着剤の組成＞
ポリジメチルシロキサン（東レダウコーニングシリコーン社「ＳＨ２００」１００ｃｓ）：８０重量％
セバシン酸ジエトキシエチル：２０重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度が、６０℃であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【０１０９】
［実施例７］
以下に示す組成を有する未定着トナーの定着剤を調整した。
【０１１０】
＜定着剤の組成＞
ポリジメチルシロキサン（東レダウコーニングシリコーン社「ＳＨ２００」１００ｃｓ）：８０重量％
アジピン酸ジエトキシエチル：２０重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度が、５０℃であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【０１１１】
［実施例８］
以下に示す組成を有する未定着トナーの定着剤を調整した。
【０１１２】
＜定着剤の組成＞
フッ素オイル（ＮＯＫ社「ＢＡＲＲＩＥＲＴＡ」Ｊ１００）：８０重量％
コハク酸ジエトキシエチル：２０重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度が、８０℃であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【０１１３】
［実施例９］
以下に示す組成を有する未定着トナーの定着剤を調整した。
【０１１４】
＜定着剤の組成＞
フッ素オイル（デュポン社「ＫＲＹＴＯＸ」ＧＬＰ）：８０重量％
セバシン酸ジエトキシエチル：２０重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度が、９０℃であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【０１１５】
［比較例１］
以下に示す組成を有する未定着トナーの定着剤を調整した。
【０１１６】
＜定着剤の組成＞
ポリジメチルシロキサン（東レダウコーニングシリコーン社「ＳＨ２００」１００ｃｓ）：１００重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度が、１００℃以下であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【０１１７】
［比較例２］
以下に示す組成を有する未定着トナーの定着剤を調整した。
【０１１８】
＜定着剤の組成＞
フッ素オイル（ＮＯＫ社「ＢＡＲＲＩＥＲＴＡ」Ｊ１００）：１００重量％
リコー製カラー複写機（ＩｍａｇｉｏＮｅｏ  Ｃ２４０）に設けられた、図２に示すような定着剤を接触手段及び加熱ベルトを介して現像剤に供給する定着装置の定着剤充填タンクに、調製した未定着トナーの定着剤を供給した。なお、定着装置の定着剤塗布パッドの温度は、１００℃以下であった。また、加熱ベルトの線速は、１００ｍｍ／秒とした。リコー製カラー複写機（ＩｍａｇｉｏＮｅｏ  Ｃ２４０）の定着装置における加熱ベルトの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。
【０１１９】
実施例１〜９並びに比較例１及び２における未定着トナーの記録紙に対する定着性に関する試験の結果を表１に示す。
【０１２０】
【表１】
2007017784.tif 000003
表１において、「ＣＯ」は、コールドオフセットが発生した（粒子状トナーが加熱ベルトに付着した）ことを示し、「ＨＯ」は、ホットオフセットが発生した（溶融トナーが加熱ベルトに付着した）ことを示し、「ＮＧ」は、トナーの定着が不良であること（布で擦るとトナーが剥離すること）を示し、「ＯＫ」は、トナーの定着が良好であることを示す。
【０１２１】
表１に示すように、比較例１及び２のような従来の離型剤のみからなる定着剤を使用して未定着トナーを定着させるには、加熱ベルトの温度を１５０℃程度にしなければならない。一方、実施例１〜９のような離型剤のみならず軟化剤を含む定着剤を使用して未定着トナーを定着させるときには、加熱ベルトの温度は、１５０℃よりも低い１１０℃であればよい。さらに、加熱ベルトの温度が、１００℃、９０℃のより低い温度であっても、トナーの定着が良好である場合もある。よって、離型剤のみならず軟化剤を含む定着剤は、従来の離型剤のみからなる定着剤と比較して、４０℃〜６０℃だけ低い温度で未定着トナーを定着させることを可能にすることを、確認することができた。
【０１２２】
［実施例１０］
実施例５において、通常は、加熱ベルトから定着剤塗布パッドを離しておき、記録紙に印刷を開始する時に、未定着トナーが像担持体から転写された後の未定着トナーが提供された記録紙の先端を検知すると共に加熱ベルトに定着剤塗布パッドを接触させるように、パッド制御機構である、定着剤塗布パッドを回転させるモータによって、加熱ベルトに対する定着剤塗布パッドの接触を制御した。その結果、１００００枚の画像を印刷した後にも、１枚目の画像におけるトナーの定着性と同じ品質の定着性を備えた画像を得ることができることが、確認された。
【０１２３】
［比較例３］
実施例１において、１５０℃に加熱された加熱ベルトに定着剤を付与した際に、約１５秒後に白煙が発生した。
【０１２４】
［実施例１１］
以下に示す組成を有する未定着トナーの定着剤を調整した。
【０１２５】
＜定着剤の組成＞
ポリジメチルシロキサン（東レダウコーニングシリコーン社「ＳＨ２００」１００ｃｓ）：８０重量％
アジピン酸ジイソブチル：２０重量％
リコー製カラー複写機（ＩｍａｇｉｏＮｅｏ  Ｃ２４０）に設けられた、図３に示すような定着剤を吹き付けるスプレー手段（ノズル径０．２ｍｍ、加圧０．０５Ｐａ）及び加熱ローラを介して現像剤に供給する定着装置の定着剤充填タンクに、調製した未定着トナーの定着剤を供給した。なお、定着装置の定着剤充填タンクの温度が、２５℃であった。また、加熱ローラの線速は、１５０ｍｍ／秒とした。リコー製カラー複写機（ＩｍａｇｉｏＮｅｏ  Ｃ２４０）の定着装置における加熱ローラの表面温度を、ハロゲンヒーターの出力を変更することによって、９０℃、１００℃、１１０℃、及び１５０℃に調整して、１枚の画像を記録紙に印刷し、定着トナーの記録紙に対する定着性を試験した。その結果、１００℃にて定着性はＯＫであった。
【０１２６】
以上、本発明の実施の形態及び実施例を具体的に説明してきたが、本発明は、これらの実施の形態及び実施例に限定されるものではなく、これら本発明の実施の形態及び実施例を、本発明の主旨及び範囲を逸脱することなく、変更又は変形することができる。
【図面の簡単な説明】
【０１２７】
【図１】（ａ）及び（ｂ）は、定着剤を現像剤に接触手段及び加熱ローラを介して供給する、本発明による現像剤の定着方法及び定着装置の例を説明する図である。
【図２】定着剤を現像剤に接触手段及び加熱ベルトを介して供給する、本発明による現像剤の定着方法及び定着装置の例を説明する図である。
【図３】定着剤を加熱ローラに直接供給する、本発明による現像剤の定着方法及び定着装置の例を説明する図である。
【図４】定着剤を未定着の現像剤に直接供給する、本発明による現像剤の定着方法及び定着装置の例を説明する図である。
【図５】（ａ）及び（ｂ）は、本発明による画像形成方法及び画像形成装置の具体例を説明する図である。
【符号の説明】
【０１２８】
１１、２１、３１、４１    記録紙
１２、２２、３２、４２    未定着トナー
１３、２３、３３、４３    ハロゲンヒーター
１４、３４、４４    加熱ローラ
１５、２５、３５、４５    加圧ローラ
１６、２６、３６、４６    定着剤充填タンク
１７、２７    定着剤塗布パッド
１８、２８    パッド制御機構
１９、２９、３８、４８    定着トナー
２４    加熱ベルト
３７、４７    スプレーノズル
１０１    中間転写ベルト
１０２、１０３、１０４、１０８、１０９    支持ローラ
１０５    画像形成ユニット
１０６    感光体ドラム
１０７    二次転写装置
１１０    二次転写ベルト
１１１    ベルトクリーニング装置
１１２    記録紙
１１３    給紙ローラ
１１４    帯電装置
１１５    現像装置
１１６    クリーニング装置
１１７    除電装置
１１８    一次転写装置
１１９    トナーの定着装置
【図１】
2007017784.tif 000004
【図２】
2007017784.tif 000005
【図３】
2007017784.tif 000006
【図４】
2007017784.tif 000007
【図５】
2007017784.tif 000008